(57)【要約】【課題】  紙葉類の厚さを非接触で、精度良く安定して検出することができるようにする。【解決手段】  紙葉類Ｐを搬送路１０に沿って搬送する搬送ベルト対１，２と、搬送路１０を介して離間対向する固定及び可動ガイド部材８，９を有し、これら固定及び可動ガイド部材８，９間に紙葉類Ｐを通してガイドするガイド手段と、可動ガイド部材９を固定ガイド部材８に向かって弾性的に付勢するコイルバネ１８と、ガイド部材８，９の対向面に設けられたノズル２１，２２と、これらノズル２１，２２を介して一対のガイド部材８，９間に圧縮気体を噴出させるポンプ２０と、可動ガイド部材９に設けられた永久磁石４０と、固定ガイド部材８に設けられ、永久磁石４０の磁界強度を検知するホールセンサ３９と、このホールセンサ３９によって紙葉類Ｐの通過時に検出される磁界強度に基づいて紙葉類Ｐの厚さを検出する処理回路４７とを具備する。【選択図】      図１
2005172745.tif 000002
【特許請求の範囲】
【請求項１】
紙葉類を搬送路に沿って搬送する搬送手段と、
前記搬送路を介して離間対向した固定ガイド体とこの固定ガイド体に対して接離方向に可動状態に設けられた可動ガイド体とを有し、これら一対のガイド体間に前記紙葉類を通してガイドするガイド手段と、
前記可動ガイド体を前記固定ガイド体に向かって弾性的に付勢する付勢手段と、
前記一対のガイド体の対向面に設けられたノズルと、
これらノズルを介して前記一対のガイド体間に圧縮気体を噴出させる気体供給手段と、
前記一対のガイド体の何れか一方に設けられた永久磁石と、
前記一対のガイド体の他方に設けられ、前記永久磁石の磁界強度を検知する検知センサと、
この検知センサによって前記紙葉類の通過時に検出される磁界強度に基づいて前記紙葉類の厚さを検出する厚さ検出手段と
を具備することを特徴とする紙葉類厚さ検出装置。
【請求項２】
前記一対のガイド体には永久磁石と検知センサとが複数個づつ配設されることを特徴とする請求項１記載の紙葉類厚さ検出装置。
【請求項３】
紙葉類を搬送路に沿って搬送する搬送手段と、
前記搬送路を介して離間対向した固定ガイド体とこの固定ガイド体に対して接離方向に可動状態に設けられた可動ガイド体とを有し、これら一対のガイド体間に前記紙葉類を通してガイドするガイド手段と、
前記可動ガイド体を前記固定ガイド体に向かって弾性的に付勢する付勢手段と、
前記一対のガイド体の対向面に設けられたノズルと、
これらノズルを介して前記一対のガイド体間に圧縮気体を噴出させる気体供給手段と、
前記一対のガイド体にそれぞれ設けられ、前記紙葉類の通過時に生じる前記一対のガイド体と紙葉類との間の圧力を検知する圧力センサと、
この圧力センサによって検出された圧力値に基づいて前記紙葉類の表面上の異物を検出する異物検出手段と
を具備することを特徴とする紙葉類の異物検出装置。
【請求項４】
前記圧力センサは、前記一対のガイド体にそれぞれ複数個づつ設けられたことを特徴とする請求項３記載の紙葉類の異物検出装置。
【請求項５】
紙葉類を搬送路に沿って搬送する搬送手段と、
前記搬送路を介して離間対向する一対のガイド体を有し、これら一対のガイド体間に前記紙葉類を通してガイドするガイド手段と、
前記一対のガイド体の一方を他方に向かって弾性的に付勢する付勢手段と、
前記一対のガイド体の対向面に設けられたノズルと、
これらノズルを介して前記一対のガイド体間に圧縮気体を噴出させる気体供給手段と、
前記ガイド体の一方に設けられ音波を送波する送波器と、
前記ガイド体の他方に設けられ、前記紙葉類の通過時に前記送波器から送波されて紙葉類を透過する超音波を受波する受波器と、
この受波器が受波した音波量に基づいて前記紙葉類上の異物を検出する異物検出手段とを具備し、
前記送波器及び受波器はその中心線が、前記紙葉類の搬送方向に対し斜めに交差する線上に沿うように配設され、
前記ガイド体の一方には、前記送波器から送波される音波をガイドし放出口部から放出させる第１の音波ガイドが設けられ、
前記ガイド体の他方には、前記第１の音波ガイドの放出口部から放出される音波を受入口部から受け入れて前記受波器に案内する第２の音波ガイドが設けられ、
前記第１の音波ガイドの放出口部及び第２の音波ガイドの受入口部は前記紙葉類の搬送方向に対し交差する方向に沿って偏平状に構成されたことを特徴とする紙葉類の異物検出装置。
【請求項６】
前記送波器及び受波器は複数個づつ配設されたことを特徴とする請求項５記載の紙葉類の異物検出装置。
【発明の詳細な説明】
【技術分野】
【０００１】
本発明は、搬送される紙葉類の厚さを検出する紙葉類の厚さ検出装置及び、紙葉類に付着するセロファンテープや紙片などの異物を検出する異物検出装置に関する。
【背景技術】
【０００２】
この種の検出装置には、軸が固定的に設けられた固定ローラと、この固定ローラに接離する方向に移動自在に設けられた可動ローラを紙葉類の搬送路を介して対向配置させてなるものがある。
【０００３】
この検出装置では、搬送路に沿って搬送される紙葉類が、固定ローラと可動ローラとの間を通過することによりその厚さに応じて可動ローラが変位する。そして、可動ローラの変位量に基づいて紙葉類の厚さを検出し、また、厚みの部分的な変化を異物として検出するようになっている（例えば、特許文献１参照。）。
【０００４】
また、この種の検出装置には、紙葉類の搬送路を挟んで超音波等の音波を送波する送波器とこの送波器から送波される音波を受波する受波器を対向配置してなるものがある。
【０００５】
この検出装置では、搬送路に沿って搬送される紙葉類が送波器と受波器との間を通過する際に、紙葉類を透過した音波を受波器で受波し、その受波した音波の量が、紙葉類の厚みに応じた透過音波量よりも小さくなった場合には異物として検出し、或いは、紙葉類が複数枚であることを検出するようになっている。
【特許文献１】特開２００２−９０１０３号公報
【発明の開示】
【発明が解決しようとする課題】
【０００６】
しかしながら、可動ローラの変位によって紙葉類の厚さを検出する方式では、可動ローラが或程度の重量を持っため、走行する紙葉類の先端突入や後端の抜け、或いはテープを貼付したような急激な変化に対する追従性が悪く検知速度に限界がある。
【０００７】
また、固定及び可動ローラ対を複数個並べて紙葉類の幅方向の厚み分布を検知する場合には、ローラ支持部材等のために各ローラ対を密着して設置することが出来ず幅方向の分解能をあげることが難しい。
【０００８】
さらには、紙葉類が走行中に厚み方向に揺動すると揺動を可動ローラの変位量として測定するため精度が悪くなるなどの問題がある。
【０００９】
製造上からは固定及び可動ローラやローラ支持部材の加工精度をあげてローラ回転時のガタを小さく押さえて測定精度を確保するため、製造価格が高価となる。
【００１０】
一方、超音波等の音波を用いる方式では、送波器から発生する音波は音波の進行方向に広がりを持っため単位面積あたりの音波量は小さくなるため、受波器の出力信号も小さくなってＳ／Ｎが低下し、異物の検出限界を上げることが出来ないという問題がある。
【００１１】
音波の広がりを小さくするために送波器と受波器を近接して設置すると紙葉類に対して直角に音波を送波することになる。紙葉類に直角に音波を当てると紙葉類からの音波の反射波と送波が干渉する。このため、紙葉類が揺動して搬送されると、送波器との距離が変化し、干渉波に強弱が生じる。従って、紙葉面に到達する音波にも強弱が生じ、安定した透過音波を得ることが出来ない。
【００１２】
このような干渉を避けるため、紙葉類厚みの１枚か２枚かを検知する手段として、紙葉類に対して斜めに音波を当てて紙葉類からの反射波が送波器に戻らないようにしたものが考えられている。
【００１３】
しかし、斜めに音波を照射することにより送波器と受波器間の距離が大きくなるため、音波の広がりは避けられず、単位面積あたりの音波エネルギーは小さくなる。従って、この方式を異物検知に適用した場合、異物の大きさに検知限界が下がり、より小さな異物を検知することが困難となる。
【００１４】
また、送波器を紙葉類に対し斜めに設置して紙面からの反射波による干渉の影響を避ける様にしても紙葉類面からの反射波が送波器を支持する部材に２次的に反射して送波器に入り、結果として紙葉類の揺動変位の影響を受けて検出信号のＳ／Ｎを悪くしている。
【００１５】
そこで、本発明では、紙葉類に非接触で異物を検知出来、付着した異物の検出性能を向上させると共に、幅方向に分布する異物の検知をも可能とし、被測定物の厚み方向の揺動を押さえて、安定して厚みと異物を検知できる紙葉類の厚み検知装置及び異物検知装置を提供することを目的とする。
【課題を解決するための手段】
【００１６】
上記課題を解決するため、請求項１記載のものは、紙葉類を搬送路に沿って搬送する搬送手段と、前記搬送路を介して離間対向した固定ガイド体とこの固定ガイド体に対して接離方向に可動状態に設けられた可動ガイド体とを有し、これら一対のガイド体間に前記紙葉類を通してガイドするガイド手段と、前記可動ガイド体を前記固定ガイド体に向かって弾性的に付勢する付勢手段と、前記一対のガイド体の対向面に設けられたノズルと、これらノズルを介して前記一対のガイド体間に圧縮気体を噴出させる気体供給手段と、前記一対のガイド体の何れか一方に設けられた永久磁石と、前記一対のガイド体の他方に設けられ、前記永久磁石の磁界強度を検知する検知センサと、この検知センサによって前記紙葉類の通過時に検出される磁界強度に基づいて前記紙葉類の厚さを検出する厚さ検出手段とを具備する。
【００１７】
請求項３記載のものは、紙葉類を搬送路に沿って搬送する搬送手段と、前記搬送路を介して離間対向した固定ガイド体とこの固定ガイド体に対して接離方向に可動状態に設けられた可動ガイド体とを有し、これら一対のガイド体間に前記紙葉類を通してガイドするガイド手段と、前記可動ガイド体を前記固定ガイド体に向かって弾性的に付勢する付勢手段と、前記一対のガイド体の対向面に設けられたノズルと、これらノズルを介して前記一対のガイド体間に圧縮気体を噴出させる気体供給手段と、前記一対のガイド体にそれぞれ設けられ、前記紙葉類の通過時に生じる前記一対のガイド体と紙葉類との間の圧力を検知する圧力センサと、この圧力センサによって検出された圧力値に基づいて前記紙葉類の表面上の異物を検出する異物検出手段とを具備する。
【００１８】
請求項５記載のものは、紙葉類を搬送路に沿って搬送する搬送手段と、前記搬送路を介して離間対向する一対のガイド体を有し、これら一対のガイド体間に前記紙葉類を通してガイドするガイド手段と、前記一対のガイド体の一方を他方に向かって弾性的に付勢する付勢手段と、前記一対のガイド体の対向面に設けられたノズルと、これらノズルを介して前記一対のガイド体間に圧縮気体を噴出させる気体供給手段と、前記ガイド体の一方に設けられ音波を送波する送波器と、前記ガイド体の他方に設けられ、前記紙葉類の通過時に前記送波器から送波されて紙葉類を透過する超音波を受波する受波器と、この受波器が受波した音波量に基づいて前記紙葉類上の異物を検出する異物検出手段とを具備し、前記送波器及び受波器はその中心線が、前記紙葉類の搬送方向に対し斜めに交差する線上に沿うように配設され、前記ガイド体の一方には、前記送波器から送波される音波をガイドし放出口部から放出させる第１の音波ガイドが設けられ、前記ガイド体の他方には、前記第１の音波ガイドの放出口部から放出される音波を受入口部から受け入れて前記受波器に案内する第２の音波ガイドが設けられ、前記第１の音波ガイドの放出口部及び第２の音波ガイドの受入口部は前記紙葉類の搬送方向に対し交差する方向に沿って偏平状に構成される。
【発明の効果】
【００１９】
本発明によれば、搬送される紙葉類の厚みと、異物を非接触で検出することができ、検出性能を向上できるとともに、コストも低減することができる。
【発明を実施するための最良の形態】
【００２０】
以下、本発明を図面に示す実施の形態を参照して詳細に説明する。  
図１は本発明の一実施の形態である紙葉類の厚さ及び異物の検出装置を示す断面図で、図２は図１中Ａ−Ａ線に沿って示す断面図、図３は図１中Ｂ−Ｂ線に沿って示す断面図、図４は図２中Ｃ−Ｃ線に沿って示す断面図である。
【００２１】
図中１，２は紙葉類Ｐの両側部を挟持し、搬送路１０に沿って矢印Ａ方向に搬送する搬送手段としての搬送ベルト対である。搬送ベルト対１，２間には、一対のガイド体としての固定ガイド部材８及び可動ガイド部材９が配設されている。固定ガイド部材８と可動ガイド部材９は搬送路１０を介して対向配置されている。
【００２２】
可動ガイド部材９はホルダ１１で保持されている。ホルダ１１は継ぎ手１３と軸１４を介してリニア軸受け１５に接続され、軸１４の長手方向に移動できるようになっている。リニア軸受け１５は固定ホルダ１６に取りつけられ、固定ホルダ１６はベース１７に固定される。１８は付勢部材としてのコイルバネで、軸１４に緩く券回されている。このコイルバネ１８は、継ぎ手１３とリニア軸受け１５との間で軸方向の復元力により可動ガイド部材９を固定ガイド部材８に押し付ける押圧支持部を構成する。
【００２３】
一方、固定ガイド部材８は固定ホルダ１９に取付けられ、固定ホルダ１９はベース１７に固定されている。固定ガイド部材８と可動ガイド部材９との対向面にはそれぞれノズル２１，ノズル２２が設けられ、これらノズル２１，２２にはホース継ぎ手２３及びホース（図示しない）を介して気体供給手段としてのポンプ２０から圧縮空気が供給される。
【００２４】
ノズル２１，２２から圧縮空気が噴出すると固定ガイド部材８と可動ガイド部材９の対向面間には空気膜が出来て一定の間隙が形成される。この空気膜は圧縮空気圧力や流量、大気圧、ガイド部材８，９の対向面部の面積、そしてコイルバネ１８による押厚力や，可動ガイド部材９と一体部との重量等によって決まる。
【００２５】
例えば、可動ガイド部材９と固定ガイド部材８の対向面の面積が約１０ｃｍ２の押圧力が約１ｋｇｆ、圧縮空気が０．１Ｍｐａ、可動部の重量が約０．２ｋｇのとき、空気膜の厚みは０．１ｍｍであった。２４は搬送ベルト対１，２のガイドローラである。
【００２６】
ところで、固定ガイド部材８の下面部及び可動ガイド部材９の上面部にはそれぞれ圧力センサ３７が設けられている。また、固定ガイド部材８には検知センサとしてのホールセンサ３９が設けられ、可動ガイド部材９には永久磁石４０が設けられている。ホールセンサ３９と永久磁石４０とは搬送路１０を介して対向配置され、ホールセンサ３９によって永久磁石４０の磁界強度が検知されるようになっている。
【００２７】
固定ガイド部材８及び可動ガイド部材９には図３に示すように圧力センサ３７に連通する圧力測定孔４２が穿設されている。固定ガイド部材８及び可動ガイド部材９の対向面には、図４にも示すように溝４３が紙葉類Ｐの搬送方向に沿って平行に２本設けられている。この溝４３によって固定ガイド部材８の上面部がエリア８ａ〜８ｃに分断されている。ホールセンサ３９は図４では、固定ガイド部材８の４箇所に設置したが、固定ガイド部材８の幅方向に２箇所或いは１個所でもその機能は達成できる。
【００２８】
このように構成される紙葉類検知装置において、固定ガイド部材８と可動ガイド部材９のノズル２１，２２から圧縮空気が噴出すると、ガイド部材８，９の対向面間には空気膜による一定の間隙が生じる。この状態から搬送ベルト対１，２によって挟持搬送される紙葉類Ｐがガイド部材８，９間に入ると固定ガイド部材８と紙葉類Ｐとの間に空気膜による間隙ができ、また、可動ガイド部材９と紙葉類Ｐとの間にも空気膜による隙間ができる。これにより、紙葉類Ｐはガイド部材８，９間を非接触の状態でガイドされて通過する。従って、紙葉類Ｐは搬送ベルト対１，２の揺れ等が有っても揺動は抑えられる。
【００２９】
このような動作状態にある固定ガイド部材８と可動ガイド部材９との間に厚みが一定の紙葉類Ｐが搬送挿入された場合、供給される圧縮空気の圧力が一定であれば、固定ガイド部材８と紙葉類Ｐとの間、及び可動ガイド部材９と紙葉類Ｐとの間の空気膜厚さは一定であり、圧力センサ３７の出力信号も一定となる。
【００３０】
ところが、紙葉類Ｐの表面に例えば、部分的にセロファンテープ等が貼りつけられた異物があって厚みに変化がある場合には、固定ガイド部材８又は可動ガイド部材９と紙葉類Ｐとの間の空気膜による間隙は変化する。さらに、圧力センサ３７と紙葉類Ｐとの間隙も異物のある部分と無い部分で変化する。
【００３１】
この間隙の変化によって空気膜内の流速が変わり、結果として圧力が変わる。この実施の形態では、紙葉類Ｐ上にある表面異物の幅方向の位置を圧力センサ３７の出力から特定するため、図４に示すように固定及び可動ガイド部材８，９の幅方向に３個の圧力センサ３７を配置している。
【００３２】
また、固定ガイド部材８及び可動ガイド部材９の対向面には溝４３が形成され、溝４３に沿って空気流が出来るため、空気膜も溝４３に沿って幅方向に分断される。従って、空気膜の圧力も溝４３によって分離されて幅方向の圧力変化を検出することが出来る。
【００３３】
一方、ホールセンサ３９の出力は、紙葉類Ｐが固定及び可動ガイド部材８，９間に搬送挿入されると、間隙が大きくなるため永久磁石４０との距離が離れて磁界強度が小さくなり信号電圧は小さくなる。紙葉類Ｐの表面に異物があると更に厚みが増すため、間隙が大きくなって信号出力電圧は更に小さくなる。このようにしてホールセンサ３９により紙葉類Ｐの最大厚みを検知することが出来る。複数個所の厚みを検知して平均値を求めれば、固定及び可動のガイド部材８，９の対向面内の平均最大厚みを得ることが出来る。
【００３４】
図５は、信号処理装置を示す概略的構成図である。
【００３５】
上記した圧力センサ３７，３７はアンプ４６を介して厚さ及び異物検出手段としての処理回路４７に接続されている。また、ホールセンサ３９はアンプ４８を介して処理回路４７に接続されている。固定及び可動ガイド部材８，９の紙葉類導入側に設けられた紙葉類検知器４９は、アンプ５０を介して処理回路４７に接続されている
上記した紙葉類検知器４９の出力信号とホールセンサ３９の出力信号、そして圧力センサ３７の出力信号をそれぞれのアンプ５０，４８，４６を介して処理回路４７に送信されて信号処理され、紙葉類Ｐの厚み信号５２と表面異物信号５３が得られる。
【００３６】
この実施の形態によれば、走行する紙葉類Ｐの厚みと紙葉類Ｐに付着した異物の検知を非接触で可能とし、紙葉類の幅方向の異物検知を複数個設置することが出来るとともに、厚み方向の揺動を押さえた紙葉類の表面異物と厚みの複合検知装置を提供できる。
【００３７】
図６乃至図９は本発明の第２の実施形態である紙葉類の異物検知装置を示すものである。
【００３８】
図６は異物検知装置を示す断面図で、図７は図６中Ｄ−Ｄ線に沿って示す断面図である。
【００３９】
なお、上記した第１の実施の形態と同一部分については、同一番号を付してその説明を省略する。
【００４０】
固定ガイド部材８の下面部には送波器２６が設けられ、可動ガイド部材９の上面部には受波器２７が設けられている。送波器２６と受波器２７は、その中心線を紙葉類Ｐの搬送方向に対し斜めに交差する線Ｙ上に沿わせた状態で斜めに配設されている。
【００４１】
固定ガイド部材８には、送波器２６から送波された超音波をガイドして放出口部２９ａから放出する第１の音波ガイド２９が形成され、可動ガイド部材９には第１の音波ガイド２９から放出された超音波を受入口部３０ａから受け入れて受波器２７にガイドする第２の音波ガイド３０が設けられている。
【００４２】
さらに、固定ガイド８には、送波器２６から送波されて紙葉類Ｐから反射される超音波を下方に逃がすための第３の音波ガイド３１が設けられている。送波器２６から送波された超音波２６ａは紙葉類Ｐに斜めに照射されてその表面で一部が反射されて音波２６ｂとなり、その他は紙葉類Ｐを透過して音波２６ｃとなる。
【００４３】
このように構成される紙葉類の異物検知装置において、固定ガイド部材８と可動ガイド部材９のノズル２１，２２から圧縮空気が噴出すると、ガイド対向面間には空気膜による一定の間隙が生じる。この状態から搬送ベルト対１，２によって挟持搬送される紙葉類Ｐがガイド部材８，９間に入ると固定ガイド部材８と紙葉類Ｐとの間に空気膜による間隙ができ、可動ガイド部材９と紙葉類Ｐとの間にも空気膜による間隙ができる。これにより、紙葉類Ｐはガイド部材８，９との間を非接触の状態でガイドされて通過する。従って、紙葉類Ｐは搬送ベルト対１，２の揺れ等が有っても揺動は抑えられる。
【００４４】
また、固定及び可動ガイド部材８，９間に導入された紙葉類Ｐが送波器２６と受波器２７との間を通過すると、送波器２６から出た音波２６ａは第１の音波ガイド２９を通って紙葉類Ｐの表面に照射される。この音波２６ａは紙葉類Ｐの表面で反射する音波２６ｂと透過する音波２６ｃに分かれる。紙葉類Ｐの表面で反射した音波２６ｂは第３の音波ガイド３１から放散され、透過した音波２６ｃは第２の音波ガイド３０を通って受波器２７で受波される。このとき、紙葉類Ｐが複数枚の場合や、表面にセロファンテープ等が貼られていた場合には、透過音波２６ｃが減少するので受波器２７の出力信号も減少する。これにより、紙葉類Ｐの厚みや，枚数或いは異物等が検出されるようになっている。
【００４５】
図８は上記した第１の音波ガイド２９の放出口部２９ａ及び第２の音波ガイド３０の受入口部３０ａの形状を示すものである。
【００４６】
第１の音波ガイド２９の放出口部２９ａ及び第２の音波ガイド３０の受入口部３０ａは扁平に絞られ、紙葉類Ｐの幅方向（搬送方向に対し直角方向）に幅を持ち搬送方向には狭い開口部となっている。従って、送波器２６から送波される音波は拡散されることなく紙葉類Ｐに集中され、小さな異物でも感度良く検知することができるようになっている。
【００４７】
図９は信号処理回路を示すブロック図である。
【００４８】
送波器２６にはパワーアンプ５５を介して発振回路５６が接続されている。受波器２７にはアンプ５８、バンドパスフィルタ５９、整流フィルタ回路６０、異物検出手段としての比較回路６１、基準設定回路６２、及び出力端子６３が接続されている。
【００４９】
この信号処理回路では、発振回路５６から交流電圧がパワーアンプ５５を介して送波器２６に印加される。これにより、送波器２６から音波が発振され、この音波は紙葉類Ｐを透過して受波器２７で捕捉される。この受波器２７で捕捉された透過音波の信号はアンプ５８で増幅されたのち、発振回路５６の周波数を中心周波数とするバンドパスフィルタ５９で雑音成分が除去される。この除去後、透過音波信号は整流フィルタ回路６０で直流信号に変換されたのち、比較回路６１で基準設定値と比較される。そして、その信号電圧が比較基準値より低い電圧になったときには、紙葉類Ｐには異物が有とする信号が信号出力端子６３から出力される。
【００５０】
この実施の形態によれば、搬送される紙葉類Ｐに付着した異物の検知を非接触で可能とし、幅方向に検知部を接近して複数個設置することが出来るとともに、厚み方向の揺動を抑えた異物検知装置を提供できる。
【００５１】
なお、本発明は、上記実施の形態に限られることなく、その要旨の範囲内で種々変形実施可能なことは勿論である。
【図面の簡単な説明】
【００５２】
【図１】本発明の第１の実施の形態である紙葉類の厚さ検知装置を示す断面図。
【図２】図１中Ａ−Ａ線に沿って示す断面図。
【図３】図１中Ｂ−Ｂ線に沿って示す断面図。
【図４】図２中Ｃ−Ｃ線に沿って示す断面図。
【図５】同紙葉類検知装置の信号処理装置を示すブロック図。
【図６】本発明の第２の実施の形態である紙葉類の異物検知装置を示す断面図。
【図７】図６中Ｄ−Ｄ線に沿って示す断面図。
【図８】同音波ガイドの先端形状を示す平面図。
【図９】同異物検知装置の信号処理回路を示すブロック図。
【符号の説明】
【００５３】
Ｐ…紙葉類、Ｙ…線上、１，２…搬送ベルト対（搬送手段）、８…固定ガイド（ガイド体）、９…可動ガイド（ガイド体）、１０…搬送路、１８…コイルバネ（付勢手段）、２０…ポンプ（気体供給手段）、２１，２２…ノズル、２６…送波器、２７…受波器、２９…第１の音波ガイド、２９ａ…放出口部、３０…第２の音波ガイド、３０ａ…受入口部、３７…圧力センサ、３９…ホールセンサ（検知センサ）、４０…永久磁石
４７…処理回路（厚さ検出手段、異物検出手段）、６１…比較回路（異物検出手段）。
【図１】
2005172745.tif 000003
【図２】
2005172745.tif 000004
【図３】
2005172745.tif 000005
【図４】
2005172745.tif 000006
【図５】
2005172745.tif 000007
【図６】
2005172745.tif 000008
【図７】
2005172745.tif 000009
【図８】
2005172745.tif 000010
【図９】
2005172745.tif 000011